(57)【要約】　　【課題】　担体成形を容易にし、より安全性が確保され、かつ体外循環治療に用いるのに十分な強度を有する血液成分吸着用担体及びその製造方法を提供する。　　【解決手段】　内層１と、内層１の外側に形成されておりかつ生体適合性材料よりなる外層２とを有する多層構造で構成された血液成分吸着用担体３。【選択図】　　　　図１
2004121857.tif 000002
【特許請求の範囲】
【請求項１】
　血液成分の吸着に用いられる担体であって、
　生体適合性材料からなる外層と、前記外層よりも内側に形成された内層とを少なくとも備えることを特徴とする血液成分吸着用担体。
【請求項２】
　前記内層が、外層を構成している材料よりも機械的強度の高い材料で構成されている請求項１に記載の血液成分吸着用担体。
【請求項３】
　前記外層が、酢酸セルロースにより構成されている請求項１に記載の血液成分吸着用担体。
【請求項４】
　前記内層がポリカーボネートより構成されている請求項３に記載の血液成分吸着用担体。
【請求項５】
　前記外層がポリビニルアルコール架橋ゲルにより構成されている、請求項１に記載の血液成分吸着用担体。
【請求項６】
　前記内層がポリプロピレンより構成されている請求項５に記載の血液成分吸着用担体。
【請求項７】
　前記血液成分吸着用担体が球状である、請求項１に記載の血液成分吸着用担体。
【請求項８】
　前記血成分吸着用担体が柱状の形状を有する請求項１に記載の血液成分吸着用担体。
【請求項９】
　請求項１に記載の血液成分吸着用担体の製造方法であって、
　対向し合う第１，第２の面に、それぞれ、第１，第２の略半球状成形凹部を有し、第１の略半球状成形凹部よりも第２の略半球状成形凹部の径が大きくされている回転金型を用意する工程と、
　前記第１の成形凹部に、第１の成形凹部と組合わさって相対的に径の小さい第１の球状成形部を構成する第３の略半球状成形凹部を有する第２の金型を当接させて第１の球状成形部を構成するとともに、第２の成形凹部に、第２の成形凹部と組合わさって相対的に径の大きな第２の球状成形部を構成する第４の略半球状成形凹部を有する第３の金型を、第２の球状成形部内に該球状成形部の径よりも小さな径を有する治具を配置した状態で当接させて、前記治具が収納された第２の球状成形部を構成する工程と、
　前記第１の球状成形部に内層を構成する樹脂を、第２の球状成形部に外層を構成する樹脂を注入し、それによって、第１の球状成形部において球状成形体よりなる内層を、第２の球状成形部において、治具の周囲に略半球状の外表面を有する外層半体を形成する工程と、
　前記第２，第３の金型を前記回転金型から分離し、回転金型の第１，第２の成形凹部に、それぞれ前記球状の成形体及び外層半体を保持させる工程と、
　前記回転金型を回転させる工程と、
　前記回転金型の第１の成形凹部から球状成形体を取り出すとともに、第２の成形凹部から治具を取外し、外層半体のみを第２の成形凹部に保持させる工程と、
　前記第２の成形凹部内に前記球状成形体を押し込み、第２の成形凹部内の外層半体に該球状成形体を付着させる工程と、
　前記回転金型を回転させ、第２の略半球状成形凹部を第３の金型の第４の略半球状成形凹部とを組み合わせて第２の球状成形部を再度形成する工程と、
　前記第２の球状成形部に外層を構成する樹脂を再度注入し、球状成形体の周囲に外層を形成する工程とを備える、血液成分吸着用担体の製造方法。
【請求項１０】
　第１の成形凹部から球状成形体を取り出す上記工程が、吸引手段により、球状成形体を吸引・保持し、吸引手段を第１の成形凹部から後退させることにより行われる、請求項９に記載の血液成分吸着用担体の製造方法。
【請求項１１】
　前記第２の成形凹部から治具を取り外す工程が、第２の成形凹部を下方に向けて、治具を重力により落下させることにより行われる、請求項１０に記載の血液成分吸着用担体の製造方法。
【請求項１２】
　前記球状成形体を前記第２の成形凹部内に押し込む工程が、前記吸引手段に保持された球状成形体を、該吸引手段を第２の成形凹部に向かって移動させることにより行われる、請求項１０に記載の血液成分吸着用担体の製造方法。
【発明の詳細な説明】
【技術分野】
【０００１】
　本発明は、血液の成分吸着に用いられる担体及びその製造方法に関し、特に、体外循環治療法に用いるのに適した血液成分吸着用担体及びその製造方法に関する。
【背景技術】
【０００２】
　血液中から特定の成分のみを吸着・除去する方法として、従来より種々の方法が提案されている。例えば、下記の特許文献１には、顆粒球を効果的に吸着し得る担体として、酢酸セルロースなどからなる粒子状の担体が開示されている。この粒子状の担体では、担体表面に存在する官能基や表面形状により、この表面に特定の物質が吸着されるように構成されている。また、上記粒子状担体の他、繊維状の担体も用いられている。なお、上記粒子状担体は通常射出成形により製造されており、他方、繊維状担体の場合は押し出し成形により主として製造されていた。
【０００３】
　しかしながら、上記の酢酸セルロースのような担体は、成形し難く、特に球状（粒子状）にし難いものであった。さらに従来の担体の中には大量使用時、担体が分解され、担体分解産物に起因すると思われる身体的症状の発生の可能性が考えられている。さらに、担体の中には強度的に体外循環用担体として耐え難い担体材料も存在し、このような担体材料はたとえ吸着能に優れていても、担体の割れや欠けにより発生した微粒子が体外循環回路内に流入する可能性が考えられていた。
【特許文献１】特開平２−１９３０６９号公報
【発明の開示】
【発明が解決しようとする課題】
【０００４】
　本発明の目的は、上述した従来の血液成分吸着用担体の改良体として、従来材料を用いつつ、担体成形を容易にし、より安全性が確保され、かつ体外循環治療に用いるのに十分な強度を有する血液成分吸着用担体及びその製造方法を提供することにある。
【課題を解決するための手段】
【０００５】
　本願発明者は、上述した従来の血液成分吸着用担体の改良点に付き鋭意検討した結果、複数の層からなる多層構造を有するように血液成分吸着用担体を構成すれば、上記課題を達成し得ることを見いだし、本発明をなすに至った。
【０００６】
　すなわち、本発明の血液成分吸着用担体は、生体適合性材料よりなる外層と、外層より内側に構成された内層とを少なくとも備える多層構造の血液成分吸着用担体である。
【０００７】
　また、本発明の特定的な局面によれば、上記内層は、外層よりも機械的強度の高い材料で構成され、それによって外層として機械的強度が不十分である生体適合性材料を用いた場合であっても、血液成分吸着用担体全体としての機械的強度を効果的に高めることができる。
【０００８】
　また、本発明の血液成分吸着用担体の製造方法は、請求項１に記載の血液成分吸着用担体の製造方法であって、対向し合う第１，第２の面に、それぞれ、第１，第２の略半球状成形凹部を有し、第１の略半球状成形凹部よりも第２の略半球状成形凹部の径が大きくされている回転金型を用意する工程と、前記第１の成形凹部に、第１の成形凹部と組合わさって相対的に径の小さい第１の球状成形部を構成する第３の略半球状成形凹部を有する第２の金型を当接させて第１の球状成形部を構成するとともに、第２の成形凹部に、第２の成形凹部と組合わさって相対的に径の大きな第２の球状成形部を構成する第４の略半球状成形凹部を有する第３の金型を、第２の球状成形部内に該球状成形部の径よりも小さな径を有する治具を配置した状態で当接させて、前記治具が収納された第２の球状成形部を構成する工程と、前記第１の球状成形部に内層を構成する樹脂を、第２の球状成形部に外層を構成する樹脂を注入し、それによって、第１の球状成形部において球状成形体よりなる内層を、第２の球状成形部において、治具の周囲に略半球状の外表面を有する外層半体を形成する工程と、前記第２，第３の金型を前記回転金型から分離し、回転金型の第１，第２の成形凹部に、それぞれ前記球状の成形体及び外層半体を保持させる工程と、前記回転金型を回転させる工程と、前記回転金型の第１の成形凹部から球状成形体を取り出すとともに、第２の成形凹部から治具を取外し、外層半体のみを第２の成形凹部に保持させる工程と、前記第２の成形凹部内に前記球状成形体を押し込み、第２の成形凹部内の外層半体に該球状成形体を付着させる工程と、前記回転金型を回転させ、第２の略半球状成形凹部を第３の金型の第４の略半球状成形凹部とを組み合わせて第２の球状成形部を再度形成する工程と、前記第２の球状成形部に外層を構成する樹脂を再度注入し、球状成形体の周囲に外層を形成する工程とを備える、血液成分吸着用担体の製造方法である。
【０００９】
　また、本発明の血液成分吸着用担体の製造方法の特定的な局面では、上記第１の成形凹部から球状成形体を取り出す工程が、吸引チャックなどの吸引手段により、球状成形体を吸引・保持し、吸引手段を第１の成形凹部から後退させることにより行われる。
【００１０】
　また、本発明の別の特定的な局面では、上記第２の成形凹部から治具を取り外す工程は、第２の成形凹部を下方に向け、治具を第２の成形凹部から重力により落下させることにより行われる。
【００１１】
　本発明の製造方法のさらに他の局面では、上記球状成形体を第２の成形凹部内に押し込む工程は、吸引チャックなどの吸引手段に保持された球状成形体を、該吸引手段を第２の成形凹部に向かって移動させることにより行われる。
【００１２】
　本発明の血液成分吸着用担体では、外層が生体適合性材料よりなり、かつ従来から用いられていた血液成分吸着用担体と同様の材料で構成されている。すなわち、本発明においては、外層は血液成分の吸着能力を高めるための表面官能基を有するような材料、血液成分吸着能力に優れた材料、表面性状が血液成分の吸着に適したように構成されている材料等により構成されている。すなわち、外層は、血液成分吸着層として機能する。
【００１３】
　他方、本発明の血液成分吸着用担体の内層は、上記外層よりも内側に設けられている。内層は、本発明の血液成分吸着用担体の核として機能するものであり、血液成分吸着用担体の機械的強度を高めたり、担体分解産物の生成量の抑制を果たすように機能する。すなわち、内層が設けられている分だけ、外層を構成する材料の使用量を少なくすることができ、従って担体分解生成物量を抑制することができる。
【００１４】
　例えば、これまで繊維状担体としては機械的強度が不足するため不適当とされていたゲル状のポリビニルアルコールを例にとると、本発明では、多層押し出し成形法を用いて内層をポリプロピレン等の強度に優れた樹脂材料により、外層をゲル状ポリビニルアルコールにより構成することにより、機械的強度に優れた血液成分吸着用担体を構成することができる。すなわち、本発明の構成を採用することにより、血液成分吸着用担体として用いることができなかったゲル状ポリビニルアルコールを用いて上記担体を構成することが可能となる。
【００１５】
　また、従来、射出成形法により成形されていた酢酸セルロース担体は、その成形精度が不安定であり、かつ大量使用時に担体分解産物に起因すると思われる身体的症状の発生の可能性が考えられている。本発明では、外層を酢酸セルロースで構成し、内層をポリカーボネート樹脂等の他の樹脂材料により構成することにより、酢酸セルロースの使用量を減らすことができ、大量使用時の担体分解産物の生成量を抑制することが可能である。
【００１６】
　なお、外層に酢酸セルロースを用い、内層にポリカーボネート樹脂を用いて多層構造の担体を形成する方法としては、例えば特開昭５９−２２０３４２号公報や特開昭６２−１５６９１７号公報に記載の製造方法を適宜用いることができる。
【００１７】
　上記のように、本発明の血液成分吸着用担体は、外層と内層とを有する多層構造で構成されているが、内層は、外層よりも内側に構成されてさえおればよく、従って外層と内層との間に１以上の中間層が形成されていてもよい。
【００１８】
　本発明において上記外層を構成する生体適合性材料としては、上記酢酸セルロース等のセルロース系材料の他、６−ナイロン、１１−ナイロン等のナイロン；ポリスチレン、ポリトリフルオロエチレン、ポリエチレンテレフタレート、２−ヒドロキシエチルメタクリレート、ポリメタクリル酸メチル、ポリビニルアルコール等の様々な樹脂材料を挙げることができる。また、これらの樹脂材料の選択は、目的とする吸着対象である血液成分に応じて適宜選択される。
【００１９】
　本発明の血液成分吸着用担体の内層を構成する材料としては、上記外層に用いられる材料の他、ポリプロピレン、ポリエチレン、ポリカーボネート等の合成樹脂、鉄、アルミ、もしくは銅などの金属、セラミックスまたはガラスなどの無機材料を用いることができる。すなわち、内層を構成する材料は特に制限されるものではない。もっとも、血液成分吸着用担体の機械的強度を高めるためには、内層を構成する材料として、外層を構成している材料よりも機械的強度の高い材料、すなわち、金属や機械的強度に優れた合成樹脂、例えば、ポリカーボネート等を用いることが望ましい。さらに、溶出物を発生しないほうが安全性の点で好ましいため、溶出物を発生し難い、ガラスなどにより内層を構成することも好ましい。
【００２０】
　いずれにしても、上述した外層及び内層を構成する材料は、血液成分吸着用担体の目的及び用途に応じ適宜選択される。
【００２１】
　また、本発明の血液成分吸着用担体の形状については特に限定されるものではなく、例えば図１に示すように、球状内層１の外側に外層２を形成し、全体を球状の血液成分吸着用担体３としてもよく、あるいは図２に示すように、柱状の内層４の周囲に外層５を形成し、全体として棒状の血液成分吸着用担体６としてもよい。
【００２２】
　本発明では、血液成分吸着用担体が生体適合性材料よりなる外層と、内層とを有する多層構造で構成されている。従って、内層が構成されている分だけ、外層構成材料の使用料を低減することができるため、外層構成材料からの分解生成物の発生量を低減することができ、それによってより安全性を高め得る。
【００２３】
　また、内層構成材料の選択により、例えば内層構成材料として機械的強度に優れた材料を用いることにより、血液成分吸着用担体の機械的強度を効果的に高め得る。なお、上記のように、上述した外層及び内層を有する多層構造の担体の形成方法は、特開昭５９−２２０３４２号公報や特開昭６２−１５６９１７号公報に記載のような製造方法を適宜採用し得るが、本発明の他の局面によれば、上記請求項２に記載の製造方法が適用され、この製造方法を用いることにより、本発明の血液成分吸着用担体を容易にかつ連続的に得ることができる。
【発明の効果】
【００２４】
　以上のように、本発明の血液成分吸着用担体は、生体適合性材料よりなる外層と内層とを有する多層構造で構成されているため、内層を設けた分だけ生体適合性材料の使用量を減らすことができ、従って血液成分吸着用担体からの担体分解生成物や溶出物の量を低減することができる。
【００２５】
　また、内層を構成する材料として、外層に比べて機械的に優れた材料を用いることにより、血液成分吸着用担体の機械的強度を効果的に高め得る。
【００２６】
　よって、本発明によれば、例えば体外循環治療に用いた場合、従来の血液成分吸着用担体に比べてより安全性を高めることができる。しかも、内層構成材料を選択することにより、従来使用することが出来ないとされていた材料を用いて外層を構成することができ、よって、血液成分吸着能が優れていながら従来使用不可能であった材料を用いて血液成分を吸着することも可能となる。
【００２７】
　また、本発明の血液成分吸着用担体の製造方法によれば、前述した回転金型並びに第１，第２の金型を上記治具と組み合わせて用いることにより、外層と内層とを有する本発明にかかる血液成分吸着用担体を容易にかつ確実に得ることが可能となる。
【発明を実施するための最良の形態】
【００２８】
　本発明の血液成分吸着用担体の製造方法の一例を、図面を参照しつつ説明する。
【００２９】
　図３〜図９は、それぞれ、本発明の吸着用担体の製造方法を説明するための各断面図である。
【００３０】
　本実施形態では、上記血液成分吸着用担体を射出成形方法を用いることにより製造する。まず、図３に示すように、本実施形態で用いる製造装置１０は、第１の金型としての回転金型１１と、第２，第３の金型１２，１３とを有する。回転金型１１は、図３の点Ｏを紙面−紙背方向に通る中心軸の周りに回転可能に構成されている。また、回転金型１１は、互いに対向し合う第１の面１１ａと第２の面１１ｂとを有する。第１の面１１ａには、第１の略半球状成形凹部１４が中央に形成されている。他方、第２の面１１ｂには、第２の略半球状成形凹部１５が形成されている。第２の略半球状成形凹部１５の径は、第１の略半球状成形凹部１４の径よりも大きくされている。
【００３１】
　また、第２の金型１２の外表面１２ａの中央には、第３の略半球状成形凹部１６が形成されている。第３の略半球状成形凹部１６は、図３に示されているように、第１の略半球状成形凹部１４と組み合わされて、第１の球状成形部１７を形成している。また、第３の略半球状成形凹部１６には樹脂を注入するための孔１８が開口しており、孔１８には、樹脂を射出するためのノズル１９が連結されている。
【００３２】
　また、第２の金型１２は、図示しない往復駆動源により、図示の矢印Ａ方向に移動可能に構成されている。
【００３３】
　第３の金型１３においては、外表面１３ａの中央に第４の略半球状成形凹部２０が形成されている。第４の略半球状成形凹部２０は、第２の略半球状成形凹部１５と組み合わされて、第２の球状成形部２１を形成している。従って、第４の略半球状成形凹部２０の径は、第２の半球状成形凹部１５の径と同一とされており、かつ組み合われた状態で、第４の略半球状成形凹部２０の中心が第２の略半球状成形凹部１５の中心と一致されるように構成されている。
【００３４】
　さらに、図３に示す初期状態では、第２の球状成形部２１内に、治具２２が配置されている。治具２２は、本実施形態では、第４の略半球状成形凹部２５を埋め尽くしている部分２２ａと、第２の略半球状成形凹部１５内において配置されている相対的に径の小さな略半球状部分２２ｂとを有する。略半球状部分２２ｂの径は、第１の球状成形部１７の径と同等とされている。従って、治具２２の半球状部分２２ｂの外表面と、第２の略半球状成形凹部１５の内面との間には、外層の半分の形状に応じた空間Ｂが構成されている。
【００３５】
　第３の金型１３についても、図示しない往復駆動源に連結されており、それによって図示の矢印Ａ方向に往復移動され得るように構成されている。
【００３６】
　なお、第３の金型１３においても、樹脂を注入するための孔２３が形成されており、孔２３には、樹脂を射出するためのノズル２４が連結されている。
【００３７】
　本実施形態では、図３に示す初期状態おいて、ノズル１９から、内層を構成するための樹脂を射出し、第１の球状成形部１７に充填するとともに、ノズル２４から外層を構成するための樹脂を第２の球状成形部２１内に充填する。上記樹脂を充填した後、充填された樹脂を硬化させ、しかる後、図４に示すように、第２，第３の金型１２，１３を回転金型１１から分離する。
【００３８】
　図４から明らかなように、第２の金型１２と第３の金型１３とを、それぞれ回転金型１１から遠ざかるように移動させることにより、第１の球状成形部１７で成形された球状成形体２５が露出する。球状成形体２５は、本発明の血液成分吸着用担体の内層を構成する部分に相当する。他方、第２の略半球状成形凹部１５では、前述した空間Ｂに注入された樹脂が固化されることより、外表面が半球状の形状を有する外層半体２６が形成されている。この場合、治具２２は、外層半体２６に付着されたまま、回転金型１１側に支持されている。
【００３９】
　次に、回転金型１１を、図４に示した状態から、点Ｏを通る中心軸を中心に９０度回転させる。その結果、図６に示すように、第２の略半球状成形凹部１５が下を向くことになるため、重力により治具２２が落下する。もっとも、外層半体２６は、樹脂が完全には固化していないので樹脂の粘着力により、上記第２の略球状成形凹部１５に保持されたままとなる。
【００４０】
　なお、図５に要部を拡大して示すように、球状成形体２５の中心Ｘは、回転金型１１の面１１ａよりも内側に位置する。すなわち、本実施形態においては、第１の略半球状成形凹部１４は、球を等分した形状よりも、若干大きく形成されている。従って、球状成形体の半分以上が、第１の略半球状成形凹部１４内に埋め込まれた形態となっているため、回転金型１１を回転させたとしても、第１の略半球状成形凹部１４から落下し難い。
【００４１】
　また、第１の略半球状成形凹部１４において成形された球状成形体２５は、図６に略図的に示されている吸引装置２７により吸引される。次に、図７に示すように、吸引装置２７により球状成形体２５を吸引・保持し、上方に引き上げる。
【００４２】
　次に、球状成形体２５を吸引装置２７に保持した状態で、上方に引き上げた後に、回転金型１１を上述した点Ｏを通る中心軸の周りに１８０度回転させる。その結果、図８に示すように、第２の略半球状成形凹部１５が上方を向くように位置されることになる。そして、この第２の略半球状成形凹部１５内に支持されている外層半体２６に対し、上方から吸引装置２７を降下させることにより、球状成形体２５を押し込み、球状成形体２５を外層半体２６に密着させる。
【００４３】
　次に、回転金型１１を、再度点Ｏを通る中心軸の周りに時計方向に９０度回転させ、かつ第２，第３の金型１２，１３を初期状態のように回転金型１１に当接させる。この状態を図９に示す。
【００４４】
　図９から明らかなように、回転金型１１に、再度第２，第３の金型１２，１３が密着されて、第１，第２の球状成形部１７，２１が再度構成されている。この状態で、ノズル２４から外層を構成する樹脂を第２の球状成形部２１内に注入することにより、空間Ｃに外層を構成する樹脂が注入される。図９から明らかなように、第２の球状成形部２１においては、残りの外層半体に相当する形状の空間Ｃが形成されている。すなわち、球状成形体２５の径が、第４の略半球状成形凹部２０の径よりも小さいため、上記空間Ｃが形成される。従って、この空間Ｃに樹脂が注入され、固化されることにより、残りの半分の外層半体が成形されることになる。注入された樹脂が硬化した後、第３の金型１３を回転金型１１から遠ざかるように移動させることにより、回転金型１１と第３の金型１３とを開き、第２の球状成形部２１から得られた成形体を取り出す。
【００４５】
　上記のようにして、球状成形体２５からなる内層の外表面に、外層半体２６と、空間Ｃに注入された樹脂が固化されることにより形成された残りの外層半体とにより構成された外層が形成されている、本発明の血液成分吸着用担体を得ることができる。すなわち、本発明実施形態の製造方法では、上述した回転金型１１、及び第２，第３の金型１２，１３を用いることにより、内層と外層とを有する本発明の血液成分吸着用担体を連続的に、かつ容易に製造することができる。
【００４６】
　本実施形態では、上記球状成形体２５を回転金型１１から一旦分離し、回転された回転金型１１の第２の略半球状成形凹部１５に支持された外層半体２６に押し込むに際し、吸引装置２７を用いたが、吸引装置２７以外に、機械的なチャック等により球状成形体２５を上記のように分離し、かつ外層半体２６上に押し込んでもよい。もっとも、真空吸引手段を用いた吸引装置２７を用いた場合には、球状成形体２５の表面に損傷を与え難いという利点がある。
【００４７】
　以下、本発明の非限定的な実施例を説明することにより、本発明を明らかにする。
【００４８】
　実施例１
　内層として、直径１．０ｍｍのポリカーボネート樹脂よりなる球状粒子を用意し、該ポリカーボネート粒子の外側に、酢酸セルロース層を外層として形成し、全体の直径が２．５ｍｍの球状の粒子からなる血液成分吸着用担体を作製した。
【００４９】
　実施例２
　長さ５０ｃｍ及び径０．５ｍｍのポリプロピレン繊維により内層を構成し、該ポリプロピレン繊維の外側にポリビニルアルコール架橋ゲルからなる外層を形成し、全体の長さが５０ｃｍ及び径が１．０ｍｍの繊維状の血液成分吸着用担体を作製し、実施例２とした。
【００５０】
　比較例１
　内層を構成せずに全体が２．３ｍｍの径の球状の酢酸セルロースよりなる血液成分吸着用担体を比較例１とした。
【００５１】
　比較例２
　内層を構成せずに、ポリビニルアルコール架橋ゲルにより長さ５０ｃｍ及び径１．０ｍｍの繊維状の血液成分吸着用担体を作製し、比較例２とした。
【００５２】
　実施例及び比較例の評価
　上述した実施例１，２及び比較例１，２の血液成分吸着用担体を体外循環用カラムに充填し、該カラムに体外循環回路構成用の樹脂チューブ及びポンプを接続し、回路を構成した。上記体外循環回路に、７０℃の温度の生理食塩水を１００ｃｃ／分の流速で１時間流し、しかる後生理食塩水のｐＨを測定した。結果を下記の表１に示す。
【００５３】
【表１】
2004121857.tif 000003
【００５４】
　表１から明らかなように、比較例１，２では、ｐＨ値が、４．１及び３．５と低かった。これに対して、実施例１，２では、比較例１，２に比べてｐＨ値が高く、より中性側に近いことから、中性域にある血液に与える影響がより少ないことがわかり、血液安定性がより高められることがわかる。
【００５５】
　従って、上記実施及び比較例の評価から明らかなように、７０℃の生理食塩水を用いて体外循環した場合でも、実施例１，２では、吸着用担体の血液安定性が高められ、かつ機械的強度も高められているため、担体分解生成物の発生や担体の破損等が生じ難く、従ってより安全な血液成分吸着用担体を提供し得ることがわかる。
【図面の簡単な説明】
【００５６】
【図１】本発明の血液成分吸着用担体の一構造例を示す部分切欠断面斜視図。
【図２】本発明の血液成分吸着用担体の他の構造例を示す斜視図。
【図３】本発明の血液成分吸着用担体の製造方法についての一実施形態において用いられる製造装置の要部の初期状態を示す部分切欠断面図。
【図４】本発明の一実施形態で用いられる製造装置及び、球状成形体及び外層半体を成形した状態を示す部分切欠断面図。
【図５】球状成形体が第１の略半球状成形凹部に支持されている状態を示す要部拡大断面図。
【図６】本発明の一実施形態にかかる製造方法に用いられる製造装置において、回転金型から治具を除去する工程を説明するための部分切欠断面図。
【図７】本発明の一実施形態の製造方法において、球状成形体を回転金型から分離する工程を説明するための部分切欠断面図。
【図８】本発明の一実施形態の製造方法において、第２の略半球状成形凹部に支持された外層半体に、球状成形体を押し込む工程を説明するための部分切欠断面図。
【図９】本発明の一実施形態の製造方法において、残りの外層半体を成形する工程を説明するための部分切欠断面図。
【符号の説明】
【００５７】
　１０…製造装置
　１１…金型
　１１ａ…第１の面
　１１ｂ…第２の面
　１２，１３…金型
　１２ａ…外表面
　１３ａ…外表面
　１４…第１の略半球状成形凹部
　１５…第２の略半球状成形凹部
　１６…第３の略半球状成形凹部
　１７…第１の球状成形部
　１８…孔
　１９…ノズル
　２０…第４の略半球状成形凹部
　２１…第２の球状成形部
　２２…治具
　２２ｂ…略半球状部分
　２３…孔
　２４…ノズル
　２５…球状成形体
　２６…外層半体
　２７…吸引装置
【図１】
2004121857.tif 000004
【図２】
2004121857.tif 000005
【図３】
2004121857.tif 000006
【図４】
2004121857.tif 000007
【図５】
2004121857.tif 000008
【図６】
2004121857.tif 000009
【図７】
2004121857.tif 000010
【図８】
2004121857.tif 000011
【図９】
2004121857.tif 000012